(57)【要約】【課題】防虫効果と消臭効果のそれぞれを有効に発揮することができる衣類カバーを提供する。【解決手段】カバー本体１１を、衣類３の正面側を覆う正面部１２と衣類３の背面側を覆う背面部１３と衣類３の側面側を覆う襠部１４とによって袋状に形成する。正面部１２を消臭シート２１で構成し、背面部１３を防虫シート２２で構成して、カバー本体１１の異なる部位である正面部１２と背面部１３とを異なる素材で構成する。襠部１４の接合部６１より正面側を透明フィルム３１で構成し、襠部１４の長さ方向に延設された透明フィルム３１によって覗き窓７１を形成する。【選択図】        図１
2008301917.tif 000002
【特許請求の範囲】
【請求項１】
カバー本体で衣類を覆う衣類カバーにおいて、
防虫剤を坦持する防虫素材と消臭・脱臭剤を坦持する消臭素材とで前記カバー本体の異なる部位を構成したことを特徴とする衣類カバー。
【請求項２】
前記カバー本体で衣類を覆った状態で該衣類の正面側を覆う正面部と前記衣類の背面側を覆う背面部とを異なる素材で構成し、前記正面部又は前記背面部の一方を前記防虫素材で構成するとともに、前記正面シート又は前記背面シートの他方を前記消臭素材で構成したことを特徴とする請求項１記載の衣類カバー。
【請求項３】
前記カバー本体で衣類を覆った状態で該衣類の側面側を覆う襠部を備え、
該襠部の少なくとも一部を透明性を有するフィルムで構成したことを特徴とする請求項１又は２記載の衣類カバー。
【請求項４】
上下に延在する前記襠部の長さ方向に前記フィルムを延設したことを特徴とする請求項３記載の衣類カバー。
【請求項５】
前記消臭・脱臭剤が粒状であることを特徴とした請求項１から４にいずれか記載の衣類カバー。
【請求項６】
前記消臭・脱臭剤が、活性炭、アルミノケイ酸亜鉛、光触媒酸化チタン、シリカゲル、活性アルミナ、ゼオライト、セラミックの一種若しくは二種以上の混合物からなることを特徴とした請求項１から５にいずれか記載の衣類カバー。
【請求項７】
一対の不織布間に前記消臭・脱臭剤をバインダーと共にサンドして前記消臭素材を構成したことを特徴とする請求項１から６にいずれか記載の衣類カバー。
【発明の詳細な説明】
【技術分野】
【０００１】
本発明は、保管時に衣類を覆う衣類カバーに関する。
【背景技術】
【０００２】
従来、衣類を保管する際には、衣類カバーが使用されており、この衣類カバーの素材として防虫消臭脱臭シートを用いることが知られている（例えば、特許文献１）。
【０００３】
この防虫消臭脱臭シートは、活性炭やシリカゲル等の消臭脱臭剤とピレスロイド系防虫剤とが坦持された基剤によって構成されている。
【０００４】
また、この特許文献１には、別々のシートに消臭・脱臭剤と防虫剤とをそれぞれ坦持させ、これらのシートを積層させることも記載されている。
【特許文献１】特開平１１−３３２４４９号公報
【発明の開示】
【発明が解決しようとする課題】
【０００５】
しかしながら、このような従来の衣類カバーにあっては、消臭脱臭剤とピレスロイドが同一の基剤に坦持されている。
【０００６】
このため、防虫剤の成分が消臭・脱臭剤に吸着されてしまい、防虫効力が低下したり、消臭・脱臭剤の消臭・脱臭効力が低下してしまうといった問題があった。
【０００７】
また、消臭・脱臭剤を坦持した基材と防虫剤を坦持した基材とを積層して得られたシートは、積層時に熱を加えるため、防虫剤や消臭剤が変質乃至は分解してしまい、防虫効果を充分に発揮できないという問題があった。
【０００８】
本発明は、このような従来の課題に鑑みてなされたものであり、防虫効果と消臭効果のそれぞれを有効に発揮することができる衣類カバーを提供することを目的とするものである。
【課題を解決するための手段】
【０００９】
前記課題を解決するために本発明の請求項１の衣類カバーにあっては、カバー本体で衣類を覆う衣類カバーにおいて、防虫剤を坦持する防虫素材と消臭・脱臭剤を坦持する消臭素材とで前記カバー本体の異なる部位を構成した。
【００１０】
すなわち、衣類を覆うカバー本体は、防虫剤を坦持した防虫素材と消臭・脱臭剤を坦持した消臭素材とによって異なる部位が形成されている。
【００１１】
このため、防虫剤と消臭・脱臭剤とを同一の基材に設けた素材や、防虫剤を坦持した基材に消臭・脱臭剤を坦持した基材を積層した素材のように、防虫剤の成分が脱臭剤に吸収されてしまうことがない。
【００１２】
また、請求項２の衣類カバーにおいては、前記カバー本体で衣類を覆った状態で該衣類の正面側を覆う正面部と前記衣類の背面側を覆う背面部とを異なる素材で構成し、前記正面部又は前記背面部の一方を前記防虫素材で構成するとともに、前記正面シート又は前記背面シートの他方を前記消臭素材で構成した。
【００１３】
すなわち、前記カバー本体の正面部又は背面部の一方を前記防虫素材で構成するとともに、他方を前記消臭素材で構成することによって、前記防虫素材と前記消臭素材とで前記カバー本体の異なる部位が形成される。
【００１４】
さらに、請求項３の衣類カバーでは、前記カバー本体で衣類を覆った状態で該衣類の側面側を覆う襠部を備え、該襠部の少なくとも一部を透明性を有するフィルムで構成した。
【００１５】
すなわち、衣類の側面側を覆う襠部には、少なくとも一部が透明性を有するフィルムで構成されている。
【００１６】
このため、カバー本体で衣類を覆った状態であっても、前記フィルムの部位から収容された衣類を確認することができる。
【００１７】
加えて、請求項４の衣類カバーにあっては、上下に延在する前記襠部の長さ方向に前記フィルムを延設した。
【００１８】
これにより、収容された衣類において、そのデザインや柄などを上部から下部に渡って確認することができる。
【００１９】
また、請求項５の衣類カバーにおいては、前記消臭・脱臭剤が粒状である。
【００２０】
これにより、粒状の消臭・脱臭剤を用いて前記消臭素材が形成される。
【００２１】
さらに、請求項６の衣類カバーでは、前記消臭・脱臭剤が、活性炭、アルミノケイ酸亜鉛、光触媒酸化チタン、シリカゲル、活性アルミナ、ゼオライト、セラミックの一種若しくは二種以上の混合物からなる。
【００２２】
これにより、活性炭、アルミノケイ酸亜鉛、光触媒酸化チタン、シリカゲル、活性アルミナ、ゼオライト、セラミックの一種若しくは二種以上の混合物によって前記消臭・脱臭剤が構成される。
【００２３】
加えて、請求項７の衣類カバーにあっては、一対の不織布間に前記消臭・脱臭剤をバインダーと共にサンドして前記消臭素材を構成した。
【００２４】
すなわち、前記消臭・脱臭剤をバインダーと共に不織布間にサンドすることで前記消臭素材が形成される。
【００２５】
このため、このように形成された消臭素材においては、外力が加えられた場合であっても、消臭・脱臭剤の離脱や脱落が無く、衣類への付着が防止される。
【発明の効果】
【００２６】
以上説明したように本発明の請求項１の衣類カバーにあっては、防虫剤を坦持した防虫素材と消臭・脱臭剤を坦持した消臭素材とを異なる部位に用いてカバー本体を形成するため、前記防虫剤と前記消臭・脱臭剤とを異なる基材に分けて設けることができる。
【００２７】
このため、防虫剤と消臭・脱臭剤とを同一の基材に設けた素材や、防虫剤を坦持した基材に消臭・脱臭剤を坦持した基材を積層した素材のように、防虫剤の成分が脱臭剤に吸収されてしまうことがない。
【００２８】
したがって、前記防虫剤による防虫効果と前記消臭・脱臭剤による消臭効果とを、それぞれを有効に発揮することができる。
【００２９】
また、請求項２の衣類カバーにおいては、前記カバー本体の正面部又は背面部の一方を前記防虫素材で構成するとともに、他方を前記消臭素材で構成することによって、前記防虫素材と前記消臭素材とで前記カバー本体の異なる部位を形成することができる。
【００３０】
このとき、前記防虫素材と前記消臭素材とを重ねて結合することにより、前記カバー本体を形成することができる。これにより、製造容易性を高めることができる。
【００３１】
さらに、請求項３の衣類カバーでは、衣類の側面側を覆う襠部の少なくとも一部を透明性を有するフィルムで構成したため、当該カバー本体で衣類を覆った状態であっても、前記フィルムの部位から収容された衣類を確認することができ、利便性が向上する。
【００３２】
加えて、請求項４の衣類カバーにあっては、上下に延在する前記襠部の長さ方向に前記フィルムを延設することにより、収容された衣類のデザインや柄などを上部から下部に渡って確認することができ、利便性がさらに向上する。
【００３３】
また、請求項５の衣類カバーにおいては、粒状の消臭・脱臭剤を用いて前記消臭素材を形成することができる。
【００３４】
さらに、請求項６の衣類カバーでは、活性炭、アルミノケイ酸亜鉛、光触媒酸化チタン、シリカゲル、活性アルミナ、ゼオライト、セラミックの一種若しくは二種以上の混合物によって前記消臭・脱臭剤を構成することができる。
【００３５】
加えて、請求項７の衣類カバーにあっては、前記消臭・脱臭剤をバインダーと共に不織布間にサンドすることで、前記消臭素材を形成することができる。
【００３６】
そして、このように形成された消臭素材においては、外力が加えられた場合であっても、前記消臭・脱臭剤の離脱や脱落が無い。このため、消臭・脱臭剤が素材の一面に設けられた場合と比較して、消臭・脱臭剤の衣類等への付着を防止することができるとともに、粒状の消臭・脱臭剤により衣類のボタン、衣類に付属している装飾品等を傷つけることもない。
【発明を実施するための最良の形態】
【００３７】
以下、本発明の一の実施の形態を図に従って説明する。図１は、本実施の形態にかかる衣類カバー１を示す図である。この衣類カバー１は、ハンガー２に掛けた衣類３を覆って保管する際に使用するものであり、保管中に衣類３を害虫から保護するとともに、当該衣類３に付いた臭いを消臭できるように構成されている。
【００３８】
この衣類カバー１のカバー本体１１は、図１の（ｂ）にも示すように、当該カバー本体１１で衣類３を覆った状態で、該衣類３の正面側を覆う正面部１２と、前記衣類３の背面側を覆う背面部１３と、前記衣類３の側面側を覆う襠部と１４，１４によって袋状に形成されている。
【００３９】
前記正面部１２は、消臭素材からなる正面シートとしての消臭シート２１で構成されており、前記背面部１３は、防虫素材からなる背面シートとしての防虫シート２２で構成されている。これにより、前記カバー本体１１の異なる部位である前記正面部１２と前記背面部１３とは、異なる素材で構成されている。
【００４０】
前記背面部１３を構成する前記防虫シート２２は、長方形状に形成されており、その上縁は、左縁及び右縁より当該防虫シート２２の中心部へ向かうに従って上方に傾斜した後、上方へ延出するように形成されている。これにより、この防虫シート２２の上端部は、中央部が上方へ突出した山形に形成されている。そして、この防虫シート２２の左右の側縁には、透明フィルム３１が上端から下端までの全域に渡って接合されている。
【００４１】
前記正面部１２を構成する前記消臭シート２１は、前記防虫シート２２より横幅の狭い長方形状に形成されており、その上縁は、左縁及び右縁より当該消臭シート２１の中心部へ向かうに従って上方に傾斜した後、上方へ延出するように形成されている。これにより、この消臭シート２１の上端部も、中央部が上方へ突出した山形に形成されている。
【００４２】
山形に形成された前記防虫シート２２上縁は、図１の（ａ）に示したように、左右の傾斜部分が前記消臭シート２１上縁の前記傾斜部分に接合されており、前記カバー本体１１の上縁には、左側縁及び右側縁より当該カバー本体１１の中心へ向かうに従って上方に傾斜した傾斜部４１，４１が形成されている。前記防虫シート２２は、上縁において上方へ延出した延出部分の縁部が、前記消臭シート２１上縁において上方へ延出した延出部分の縁部に接合されており、前記カバー本体１１の上縁には、前記両傾斜部４１，４１より上方へ延出した上方延出部４２，４２が形成されている。
【００４３】
そして、前記カバー本体１１の上縁中央部には、前記両上方延出部４２，４２を結ぶ水平部５１が形成されており、この水平部５１を構成する前記防虫シート２２の縁部及び前記消臭シート２１の縁部は、接合されておらず、上方へ向けて開口した挿通部５２が形成されている。これにより、当該カバー本体１１に収容された前記ハンガー２のフック５３を前記挿通部５２から延出できるように構成されており、当該カバー本体１１で覆われた衣類３をハンガー２に掛けた状態で、クローゼットやオープン収納ハンガーのパイプなどに吊り下げて保管できるように構成されている。
【００４４】
前記防虫シート２２の側縁に接合された前記各透明フィルム３１，３１は、正面側へ折り返されており、前記防虫シート２２の側縁と前記各透明フィルム３１，３１が接合された接合部６１は、当該カバー本体１１の内側へ向けて谷折りされている。この谷折り状態において、各透明フィルム３１，３１の上縁と前記防虫シート２２の上縁とが接合されており、前記カバー本体１１には、収容した衣類３の厚み方向に展開して該衣類３の側面側を覆う前記襠部１４，１４が形成されている。
【００４５】
この襠部１４，１４は、前記接合部６１，６１より正面側の部分が前記透明フィルム３１，３１で構成されており、上下に延在する襠部１４，１４には、その長さ方向に延設された前記透明フィルム３１，３１によって覗き窓７１，７１が形成されている。
【００４６】
前記消臭シート２１の幅寸法は、正面側に折り返された前記透明フィルム３１，３１の側縁部に重なる長さに設定されており、当該消臭シート２１は、重なった状態で各透明フィルム３１，３１の外側に配置されるように構成されている。前記消臭シート２１，２１の側縁と前記透明フィルム３１，３１とは、接合されており、当該カバー本体１１の下部開口部から衣類３を出し入れするように構成されている。
【００４７】
前記防虫シート２２としては、従来公知の衣類用防虫剤を使用することができる。たとえば、パラジクロロベンゼン、ナフタリン、樟脳やピレトリン、アレスリン、レスメトリン、フタルスリン、フラメトリン、フェノトリン、シフェノトリン、プラレトリン、ペルメトリン、シペルメトリン、デカメスリン、フェンバレート、シフルトリン、シハロトリン、エトフェンプロックス、トラロメスリン、エムペントリン、テフラメトリン、テラレトリン、トランスフルスリン、エミネンス、プロフルトリン等のピレスロイド系防虫剤、エトフェンブロックス等の防虫剤が挙げられ、これらの一種若しくは二種以上を混合して用いることもできる。これらの内２５℃における蒸気圧が１０−４ｍｍＨｇ未満の防虫剤を用いることが好ましい。
【００４８】
前記消臭シート２１は、消臭・脱臭剤を坦持した不織布で構成されている。前記消臭・脱臭剤としては、従来公知の消臭・防虫剤を用いることができるが、例えば、活性炭、アルミノケイ酸亜鉛、光触媒酸化チタン、シリカゲル、活性アルミナ、ゼオライト、セラミックが挙げられ、これらの一種若しくは二種以上を混合して用いることができる。
【００４９】
前記消臭シート２１は、図２に示すように、二枚の不織布８１，８２との間に粒状の消臭・脱臭剤８３，・・・がバインダー８４によりサンドされて形成されており、粒状の前記消臭・脱臭剤８３，・・・が通気性を有した前記両不織布８１，８２間に坦持されている。
【００５０】
前記各不織布８１，８２は、従来公知の不織布を使用することができる。不織布を構成する繊維の材質としては、ポリエチレン、ポリプロピレン、ポリエステル、ポリアミド、アクリル酸、レーヨン、パルプ等の一種若しくは二種以上を混合して用いることができる。後述する消臭シートの製造方法により消臭シートを製造する場合は、工程中熱をかけるため、不織布８１には、比較的融点の高い繊維、例えばポリエステルやポリアミド、レーヨン、パルプ等を用いることが好ましい。不織布の製造方法としても、従来公知のスパンボンド、ウォーターニードル、エアレイド、ウェットレイド等の方法により製造することができる。
【００５１】
前記バインダー８４は、前記不織布８１又は不織布８２と前記消臭・脱臭剤を接着することができれば特に限定されないが、後述する消臭シートの製造方法により消臭シートを製造する場合は、熱可塑性バインダーを用いることが好ましい。このようなバインダーとしては、エチレン−ビニルアセテート、直鎖低密度ポリエチレンポリエステル、ナイロン等が挙げられ、これらの一種若しくは二種以上を混合して用いることができる。
【００５２】
図３は、前記消臭シート２１の製造工程を示す図であり、この消臭シート２１を製造する際には、ロール状に巻き取られた不織布８１を引き出すとともに、タンク１０２に収容された前記バインダー８４と前記消臭・脱臭剤８３とが混合さてなる混合剤１０３を、前記不織布８１上の全域に渡って均一に散布する。
【００５３】
そして、この混合剤１０３が散布された前記不織布８１を、加熱ヒーター１１１内を通過させ、加熱してバインダー８４を溶融させる。次にロール状に巻き取られた不織布８２を引き出し、前記消臭・脱臭剤８３と溶融状態のバインダー８４が固着された不織布８１上に重ねて積層するとともに、この積層状態において、圧着ローラ１２２，１２２によって圧力を加えて圧着する。
【００５４】
これにより、前記不織布８２と前記不織布８１との間に、バインダー８４によって前記消臭・脱臭剤８３，・・・が挟まれた状態で坦持された前記消臭シート２１を形成し、この消臭シート２１を巻き取りローラ１３１に巻き取る。
【００５５】
以上の構成にかかる本実施の形態において、衣類３を覆うカバー本体１１は、防虫剤を坦持した防虫シート２２と消臭・脱臭剤８３，・・・を坦持した消臭シート２１とによって異なる部位が形成されており、前記防虫剤と前記消臭・脱臭剤８３，・・・とを異なる基材に分けて配置することができる。
【００５６】
このため、防虫剤と消臭・脱臭剤８３，・・・とが同一の基材に設けられた素材や、防虫剤を坦持した基材に消臭・脱臭剤８３，・・・を坦持した基材が積層された素材のように、防虫剤の成分が脱臭剤８３，・・・に吸収されてしまうことがない。
【００５７】
したがって、前記防虫剤による防虫効果と前記消臭・脱臭剤８３，・・・による消臭効果とを、それぞれを有効に発揮することができる。
【００５８】
また、前記カバー本体１１の正面部１２を前記消臭シート２１で構成するとともに、背面部１３を防虫シート２２で構成することによって、該防虫シート２２と前記消臭シート２１とで前記カバー本体１１の異なる部位を形成することができる。
【００５９】
このとき、前記防虫シート２２と前記消臭シート２１とを重ねて結合することにより、前記カバー本体１１を形成することができる。これにより、製造容易性を高めることができる。
【００６０】
さらに、前記カバー本体１１は、衣類３の側面側を覆う襠部１４，１４を備えており、この襠部には、少なくとも一部が透明性を有した透明フィルム３１，３１で構成されている。
【００６１】
このため、このカバー本体１１で衣類３を覆った状態であっても、前記透明フィルム３１，３１で構成された覗き窓７１，７１から収容された衣類３を確認することができ、利便性が向上する。
【００６２】
加えて、前記透明フィルム３１は、上下に延在する前記襠部１４，１４の長さ方向全域に渡って延設されている。このため、収容された衣類３のデザインや柄などを上部から下部に渡って確認することができ、利便性がさらに向上する。
【００６３】
また、前記消臭・脱臭剤８３，・・・は粒状であるため、この粒状の消臭・脱臭剤８３，・・・を用いて前記消臭シート２１を形成することができる。
【００６４】
これにより、当該消臭シート２１製造時での前記消臭・脱臭剤８３，・・・の取り扱いが容易となる。
【００６５】
さらに、前記消臭・脱臭剤８３，・・・をバインダーと共に各不織布８１，８２間にサンドすることで、前記消臭シート２１を形成することができる。
【００６６】
このように形成された消臭シート２１では、外力が加えられた場合であっても、前記消臭・脱臭剤８３，・・・の離脱や脱落が無い。このため、消臭・脱臭剤が素材の一面に設けられた場合と比較して、消臭・脱臭剤の衣類等への付着を防止することができるとともに、粒状の消臭・脱臭剤により衣類やボタン、衣類に付属している装飾品等を傷つけることもない。
【００６７】
なお、本実施の形態ではハンガーにかけるタイプの衣類カバーについて説明したが、これに限定することなく、例えば、袋タイプの衣類カバー等に用いることも可能である。
【図面の簡単な説明】
【００６８】
【図１】本発明の一実施の形態を示す図で、（ａ）は正面図であり、（ｂ）は（ａ）のＡ−Ａ断面図である。
【図２】図１の（ｂ）のＢ部の拡大図である。
【図３】同実施の形態の消臭シートの製造方法を示す説明図である。
【符号の説明】
【００６９】
１    衣類カバー
３    衣類
１１    カバー本体
１２    正面部
１３    背面部
１４    袖部
２１    消臭シート
２２    防虫シート
８１    不織布
８２    不織布
８３    消臭・脱臭剤
８４    バインダー
【図１】
2008301917.tif 000003
【図２】
2008301917.tif 000004
【図３】
2008301917.tif 000005